(57)【要約】      （修正有）【課題】設置が簡単で費用がかからず、広範囲をカバーできる鳥獣侵入防止装置を提供する。【解決手段】動物の侵入を感知する感知センサ１１と、明るさを感知する明るさセンサ１２と、感知センサ１１と明るさセンサ１２からの入力信号により出力手段に出力信号を出力する制御部１３と、周囲を撮影する監視カメラ１７と、を具備した本体部１と、本体部１を支える支柱２と、支柱２を支える基台とを具備した基部３と、を備える構成とした。【選択図】図１
0003207715.tif 000002
【実用新案登録請求の範囲】
【請求項１】
動物の侵入を感知する感知センサと、明るさを感知する明るさセンサと、前記感知センサと明るさセンサからの入力信号により出力手段に出力信号を出力する制御部と、周囲を撮影する監視カメラと、を具備した本体部と、
前記本体部を支える支柱と、前記支柱を支える基台とを具備した基部と、
を備えたことを特徴とする鳥獣侵入防止装置。
【請求項２】
前記出力手段は、前記制御手段からの出力信号により閃光を発する照明と、威嚇の音声を発するスピーカと、超音波を発する超音波発信器と、を備えたことを特徴とする鳥獣侵入防止装置。
【請求項３】
前記基部は、内部に電源部を備え、前記電源部は、商用電源より入力が可能な場合は商用電源よりの電力を変換して前記本体部に出力する変換器と、商用電源より入力が不能な場合は太陽電光発電装置または風力発電装置および水力発電装置からの入力した電力を蓄電する蓄電池と、を備えたことを特徴とする鳥獣侵入防止装置。
【請求項４】
前記本体部は、無線送受信部を備え、前記監視カメラの映像信号を遠隔操作部に送信するとともに、前記遠隔操作部からの操作信号を受信し前記制御部より必要な出力信号を前記出力部に出力することを特徴とする鳥獣侵入防止装置。
【請求項５】
前記感知センサと前記出力手段および監視カメラは複数個備えたことを特徴とする鳥獣侵入防止装置。
【考案の詳細な説明】
【考案の詳細な説明】
【技術分野】
【０００１】  本考案は、農地や民家に餌を求めて侵入してくる鳥獣類の被害を防止する鳥獣侵入防止装置に関する。
【背景技術】
【０００２】  従来、農地や民家に餌を求めて侵入してくる鳥獣類、例えば、雀、烏などの鳥類やハクビシン、猪、熊、鹿、猿などの獣類の侵入をセンサで感知し、撃退するために、威嚇音の発生手段や発光手段を設けた装置として、特許文献１に示すような鳥獣侵入防止装置があった。【０００３】  この鳥獣侵入防止装置は、地上を移動する動物が所定の位置に存在することを検出する動物センサと、２４時間を基準とするスケジュールタイマとによって受信した公共放送から音声を出力する拡声音発生手段と、前記動物センサ及び／または前記スケジュールタイマによって機械的な騒音を発生させる機械的騒音発生手段と、とを具備することを特徴とするものである。【０００４】
【特許文献１】特開２０１２−１１０２６９号公報
【考案の概要】
【考案が解決しようとする課題】
【０００５】  しかしながら、この鳥獣侵入防止装置においては、比較的広い範囲に複数個のセンサと威嚇手段を備えた個別の装置を設置する必要があり、その個別の装置の費用やその設置費用にコストがかかるという問題があった。そして、その個別の装置の数が増えれば増えるほど費用が嵩むということが問題となった。さらに、それらの個別の装置は所定の方向のみに限定されたものであり、広範囲な方向をカバーするものではなかった。【０００６】  本案は上述した従来の問題点を鑑みなされたものであり、設置が簡単で費用がかからず、広範囲をカバーできる鳥獣侵入防止装置を提供するものである。
【課題を解決するための手段】
【０００７】  本考案は、動物の侵入を感知する感知センサと、明るさを感知する明るさセンサと、前記感知センサと明るさセンサからの入力信号により出力手段に出力信号を出力する制御部と、周囲を撮影する監視カメラと、を具備した本体部と、
前記本体部を支える支柱と、前記支柱を支える基台とを具備した基部と、を備えたことを特徴とするものである。【０００８】  また、本考案の出力手段は、前記制御手段からの出力信号により閃光を発する照明と、威嚇の音声を発するスピーカと、超音波を発する超音波発信器と、を備えたことを特徴としている。【０００９】  また、本考案の基部は、内部に電源部を備え、前記電源部は、商用電源より入力が可能な場合は商用電源よりの電力を変換して前記本体部に出力する変換器と、商用電源より入力が不能な場合は太陽光発電装置または風力発電装置および水力発電装置からの入力した電力を蓄電する蓄電池と、を備えたことを特徴としている。【００１０】また、本考案の無線送受信部を備え、前記監視カメラの映像信号を遠隔操作部に送信するとともに、前記遠隔操作部からの操作信号を受信し前記制御部より必要な出力信号を前記出力部に出力することを特徴としている。【００１１】  さらに、本考案は、前記感知センサと前記出力部および監視カメラは複数個備えたことを特徴とするものである。
【考案の効果】
【００１２】  本考案によれば、設置場所にこだわることはなく、どのような場所にも簡単に設置することができ、一台の鳥獣侵入防止装置であらゆる向から侵入する鳥獣を防ぐことができるという優れた効果を奏するものである。
【図面の簡単な説明】
【００１３】
【図１】本考案に係る鳥獣侵入防止装置を示す正面図である。
【図２】本考案の鳥獣侵入防止装置の構成を示すブロック図である。
【図３】本考案の鳥獣侵入防止装置において複数の感知センサ、監視カメラを備えた装置を示す斜視図である。
【考案を実施するための形態】
【００１４】  以下、本考案における鳥獣侵入防止装置を詳細に説明する。本考案の鳥獣侵入防止装置Ａは、図１または図２に示すように、動物の侵入を感知する感知センサ１１と、明るさを感知する明るさセンサ１２と、前記感知センサ１１と明るさセンサ１２からの入力信号により制御信号を出力する制御部１３と、前記制御部１３からの出力信号により必要な動作を行う出力手段と、周囲を撮影する監視カメラ１７と、を具備した本体部１と、本体部１を支える支柱２と、支柱２を支える基台とを具備した基部３と、を備えている。また、前記出力手段は、閃光などを発する照明１４ランプと、威嚇音などを発するスピーカ１５と、超音波を発する超音波発信器１６を備えたものである。
【００１５】  本体部１は、金属または合成樹脂よりやや丸みを帯びた略矩形状に形成されたケース１０の内部に制御部１３が収納されており、ケース１０の前面には感知センサ１１、照明ランプ１４、スピーカ１５、超音波発信器１６および監視カメラ１７が取り付けられている。感知センサ１１は赤外線などを使用した公知のセンサであり、照明ランプ１４は通常の電球を使用してもよいが、近年急速に普及してきているＬＥＤランプを使用した方が省エネや寿命の点で好都合である。超音波発信器１６は可聴周波数を超える２０キロヘルツ以上の超音波を発生する公知の超音波発信器である。監視カメラ１７も公知の小型デジタルカメラを使用している。また、ケース１０の上面には明るさセンサ１２が取り付けられており、さらには、後述する無線送受信部１９のアンテナ１９ａが突設されている。明るさセンサ１２はフォトトラジスタやフォトダイオードなどを使用した公知のセンサである。
【００１６】  また、図２に示すように、感知センサ１１、明るさセンサ１２、照明ランプ１４、スピーカ１５、超音波発信器１６および監視カメラ１７はそれぞれ制御部１３と接続されており、感知センサ１１と明るさセンサ１２で検出した検出信号は制御部１３に送られ、制御部１３にて予め設定されたレベル以上の信号であると判断された場合は、照明ランプ１４やスピーカ１５、または超音波発信器１６を動作させるように構成されている。従って、制御部１３は、照明ランプ１４やスピーカ１５、超音波発信器１６を動作させる図示しない駆動回路も含むものである。
【００１７】  さらに、本体部１は、無線送受信部１９を備えており、前記監視カメラ１７の映像信号をアンテナ１９ａを経由して遠隔操作部２０に送信するように構成されている。遠隔操作部２０は、監視カメラが撮影した映像を再現する図示しないモニタが備えられており、操作者は、モニタに画面を監視して、必要な場合には、前記照明ランプ１４やスピーカ１５または超音波発信器１６を動作させる動作信号を、遠隔操作部２０のアンテナ２０ａから無線送受信部１９に送信するものである。そして、無線送受信部１９で動作信号を受信した場合には、制御部１３が照明ランプ１４やスピーカ１５または超音波発信器１６を動作させるものである。
【００１８】  また、支柱２は金属または合成樹脂などから成形された円筒状のケースであり、内部を制御ぶ１３と電源部１８を接続するケーブルが通っている。この支柱２は本体部１に固定された中筒２ａと、基部３に固定された外筒２ｂの二重構造となっている。即ち、この中筒２ａと外筒２ｂはスライドできる構造となっており、中筒２ａと外筒２ｂをスライドさせることにより本体部１を任意の高さに調節することがきるようになっている。そして、最適の高さに設定したら固定ネジ２ｃを締め付けて固定するものである。
【００１９】  前記支柱２を支える基部３は、金属または合成樹脂材料から略矩形に形成されており、内部には電源部１８を収納している。この電源部１８は、蓄電池１８ａと変換器１８ｂから構成されている。一般的な家庭などで使用される場合に電力会社などから供給される商用電源４から交流電力を取り入れ、内部のコンバータなどを使用した変換器１８ｂで直流に変換して前記本体部１に電力を供給する。そして、山間地の田畑や牧場のように、商用電源４が入力不能な場合には、予め外部に設置した太陽光発電装置５や風力発電装置６からの電力を内部の蓄電池１８ａに貯めておき、前記本体部１に供給するものである。特に山間部においては、小川などが流れており、水力を得やすいことから、水車を利用した小型で簡便な水力発電装置７を使用すると好都合である。
【００２０】  このように構成された鳥獣侵入防止装置Ａは、基部３に比較的重量物である蓄電池１８ａや変換器１７８を収納しているので、構造的に安定して本体部１を支持しているので、自立式として使用できるものである。また、支柱２はスライド方式で伸縮自在にしてあるので、本体部１を最も効果的な高さに設置できるものである。
【００２１】  次に上述のように構成された鳥獣侵入防止装置Ａの使用方法を説明する。まず、住宅地など、商用電源４が簡単に得られる場所においては、家庭用の電源の取り出し口であるコンセントなどに接続する。そして、支柱２を調整しして本体部１を最も効果的な高さに設置する。
【００２２】  このように設置された鳥獣侵入防止装置Ａは、最初、明るさセンサ１２の入力信号レベルにより制御部１３が昼か夜かを判断する。そして、制御部１３が昼と判断した場合には、感知センサ１１がエリア内に侵入する有害な鳥獣を感知した場合、スピーカ１５より威嚇音を発し、有害な鳥獣を撃退するものである。
【００２３】  一方、制御部１３が明るさセンサ１２の入力信号レベルにより、夜と判断した場合には、感知センサ１１がエリア内に侵入する有害な鳥獣を感知した場合、照明１４より閃光などを発し、有害な鳥獣を撃退するものである。さらには、超音波発信器より動物が嫌がる超音波を発し、有害な鳥獣を撃退することもできる。
【００２４】  また、商用電源４が簡単に得られない山間地の田畑や広大な農場では、電源として太陽光発電装置５や風力発電装置６または水力発電装置７を使用することができる。これらの発電装置を使用する場合、例えば、太陽光発電装置５は太陽がある昼間は発電できるが、夜間は発電できないので、電源１８の蓄電池１８ａを使用して昼間に蓄電し、夜間にそれを使用するものである。また、風力発電装置６においても、風が吹いている間に蓄電し、無風の時にそれを使用するものである。
【００２５】  さらに、面積の広い田畑や牧場では、周囲３６０度を警戒する必要があるので、この場合には鳥獣侵入防止装置Ｂが効果を発揮する。この鳥獣侵入防止装置Ｂは、前述したケース１０の前面、側面、後面にそれぞれ、感知センサ１１、照明ランプ１４、スピーカ１５、超音波発信器１６および監視カメラ１７を取り付けたケース３０を用意し、このケース３０の内部に鳥獣侵入防止装置Ａと同様に図示しない制御部１３を収納したものである。尚、前述の鳥獣侵入防止装置Ａと同一部材には同一符号を付し、詳細な説明を省略する。
【００２６】  このように構成された鳥獣侵入防止装置Ｂは、一台で全ての方向からの有害鳥獣の侵入を防止できるので、非常に効率的な運用が可能である。
【００２７】  以上説明したように、本考案の鳥獣侵入防止装置によれば、設置場所にこだわることはなく、どのような場所にも簡単に設置することができ、しかもハクビシンや猪、猿あるいは烏など、あらゆる有害な鳥獣の侵入を防ぐことができるという優れた効果を奏するものである。
【符号の説明】
【００２８】Ａ          鳥獣侵入防止装置
Ｂ          鳥獣侵入防止装置
１          本体部
２          支柱
２ａ        中筒
２ｂ        外筒
３          基部
４          商用電源
５          太陽光発電装置
６          風力発電装置
１０        ケース
１１        感知センサ
１２        明るさセンサ
１３        制御部
１４        照明
１５        スピーカ
１６        超音波発信器
１７        監視カメラ
１８        電源部
１８ａ      蓄電池
１８ｂ      変換器
１９        無線送受信部
１９ａ      アンテナ
２０        遠隔操作部
２０ａ      アンテナ
【図１】
0003207715.tif 000003
【図２】
0003207715.tif 000004
【図３】
0003207715.tif 000005
【手続補正書】
【提出日】平成28年6月14日(2016.6.14)
【手続補正１】
【補正対象書類名】実用新案登録請求の範囲
【補正対象項目名】全文
【補正方法】変更
【補正の内容】
【実用新案登録請求の範囲】
【請求項１】
動物の侵入を感知する感知センサと、明るさを感知する明るさセンサと、前記感知センサと明るさセンサからの入力信号により出力手段に出力信号を出力する制御手段と、周囲を撮影する監視カメラと、を具備した本体部と、前記本体部を支える支柱と、前記支柱を支える基台とを具備した基部と、を備えたことを特徴とする鳥獣侵入防止装置。
【請求項２】
前記出力手段は、前記制御手段からの出力信号により閃光を発する照明と、威嚇の音声を発するスピーカと、超音波を発する超音波発信器と、を備えたことを特徴とする請求項１に記載の鳥獣侵入防止装置。
【請求項３】
前記基部は、内部に電源部を備え、前記電源部は、商用電源より入力が可能な場合は商用電源よりの電力を変換して前記本体部に出力する変換器と、商用電源より入力が不能な場合は太陽電光発電装置または風力発電装置および水力発電装置からの入力した電力を蓄電する蓄電池と、を備えたことを特徴とする請求項１に記載の鳥獣侵入防止装置。
【請求項４】
前記本体部は、無線送受信部を備え、前記監視カメラの映像信号を遠隔操作部に送信するとともに、前記遠隔操作部からの操作信号を受信し前記制御手段より必要な出力信号を前記出力手段に出力することを特徴とする請求項１に記載の鳥獣侵入防止装置。
【請求項５】
前記感知センサと前記出力手段および前記監視カメラは、複数個備えたことを特徴とする請求項１及び請求項４に記載の鳥獣侵入防止装置。
【手続補正２】
【補正対象書類名】明細書
【補正対象項目名】０００７
【補正方法】変更
【補正の内容】
【０００７】  本考案は、動物の侵入を感知する感知センサと、明るさを感知する明るさセンサと、前記感知センサと明るさセンサからの入力信号により出力手段に出力信号を出力する制御手段と、周囲を撮影する監視カメラと、を具備した本体部と、前記本体部を支える支柱と、前記支柱を支える基台とを具備した基部と、を備えたことを特徴とするものである。
【手続補正３】
【補正対象書類名】明細書
【補正対象項目名】００１０
【補正方法】変更
【補正の内容】
【００１０】  また、本考案の本体部は、無線送受信部を備え、前記監視カメラの映像信号を遠隔操作部に送信するとともに、遠隔操作部からの操作信号を受信し制御手段より必要な出力信号を前記出力手段に出力することを特徴としている。
【手続補正４】
【補正対象書類名】明細書
【補正対象項目名】００１１
【補正方法】変更
【補正の内容】
【００１１】  さらに、本考案は、前記感知センサと前記出力手段および前記監視カメラは、複数個備えたことを特徴とするものである。
【手続補正５】
【補正対象書類名】明細書
【補正対象項目名】００１４
【補正方法】変更
【補正の内容】
【００１４】  以下、本考案における鳥獣侵入防止装置を詳細に説明する。本考案の鳥獣侵入防止装置Ａは、図１または図２に示すように、動物の侵入を感知する感知センサ１１と、明るさを感知する明るさセンサ１２と、前記感知センサ１１と明るさセンサ１２からの入力信号により制御信号を出力する制御手段となる制御部１３と、前記制御部１３からの出力信号により必要な動作を行う出力手段と、周囲を撮影する監視カメラ１７と、を具備した本体部１と、本体部１を支える支柱２と、支柱２を支える基台とを具備した基部３と、を備えている。また、前記出力手段は、閃光などを発する照明１４ランプと、威嚇音などを発するスピーカ１５と、超音波を発する超音波発信器１６を備えたものである。
【手続補正書】
【提出日】平成28年9月6日(2016.9.6)
【手続補正１】
【補正対象書類名】実用新案登録請求の範囲
【補正対象項目名】全文
【補正方法】変更
【補正の内容】
【実用新案登録請求の範囲】
【請求項１】
動物の侵入を感知する感知センサと、明るさを感知する明るさセンサと、前記感知センサと明るさセンサからの入力信号により出力手段に出力信号を出力する制御手段と、周囲を撮影する監視カメラと、を具備した本体部と、前記本体部を支える支柱と、前記支柱を支える基台とを具備した基部と、を備えたことを特徴とする鳥獣侵入防止装置。
【請求項２】
前記出力手段は、前記制御手段からの出力信号により閃光を発する照明と、威嚇の音声を発するスピーカと、超音波を発する超音波発信器と、を備えたことを特徴とする請求項１に記載の鳥獣侵入防止装置。
【請求項３】
前記基部は、内部に電源部を備え、前記電源部は、商用電源より入力が可能な場合は商用電源よりの電力を変換して前記本体部に出力する変換器と、商用電源より入力が不能な場合は太陽電光発電装置または風力発電装置および水力発電装置からの入力した電力を蓄電する蓄電池と、を備えたことを特徴とする請求項１に記載の鳥獣侵入防止装置。
【請求項４】
前記本体部は、無線送受信部を備え、前記監視カメラの映像信号を遠隔操作部に送信するとともに、前記遠隔操作部からの操作信号を受信し前記制御手段より必要な出力信号を前記出力手段に出力することを特徴とする請求項１に記載の鳥獣侵入防止装置。
【請求項５】
前記感知センサと前記出力手段および前記監視カメラは、複数個備えたことを特徴とする請求項１または請求項４に記載の鳥獣侵入防止装置。